(57)【要約】【課題】多数頁の中綴じ本を金具を一切使用しないで糊のみによって簡易に製造できるようにした中綴じ本の製造方法を提供する。【解決手段】紙葉を左右に２つ折りするときの合わせ面の中点を通る縦線に沿って糊線を設けて一次折丁を形成し、該一次折丁を上下に２つ折りするときの合わせ面の中点を通る縦線に沿って糊線を設けて二次折丁を形成し、これを単位折丁として多数準備した後、該単位折丁の複数丁の重ね面の、前記糊線に対応する個所に糊線を設けて接着し、該接着部より２つ折りし、その折部を除いて他の折部を断截して頁毎に分離するものである。【選択図】  図５
2004345190.tif 000002
【特許請求の範囲】
【請求項１】
紙葉を左右に２つ折りするときの合わせ面の中点を通る縦線に沿って糊線を設けて一次折丁を形成し、該一次折丁を上下に２つ折りするときの合わせ面の中点を通る縦線に沿って糊線を設けて二次折丁を形成し、これを単位折丁として多数準備した後、該単位折丁を複数丁重ねるととともに、それぞれの重ね面の、前記糊線に対応する個所に糊線を設けて接着し、該接着部より２つ折りし、その折部を除き、少なくとも前記二次折丁までの他の折部を断截して頁毎に分離することを特徴とする中綴じ本の製造方法。
【請求項２】
前記単位折丁を複数丁重ねるときに、最外層となる単位折丁に代えて表紙となる紙葉を重ねることを特徴とする請求項１に記載の中綴じ本の製造方法。
【発明の詳細な説明】
【０００１】
【発明の属する技術分野】
本発明は、週刊誌、商品等に附属する仕様書や商品等の宣伝書などの小冊子に用いられている中綴じ本の製造方法に関するものである。
【０００２】
【従来の技術】
従来の中綴じ本で頁数の多い週刊誌は、２つ折りした４頁物の折丁或いは４つ折りした１６頁物等の折丁を、見開き展開した状態で頁を揃えつつ折線より重ね合わせ、該折線上の数個所を折線に沿ってホッチキス針のような金具で綴じ、該綴じた線より再度２つ折りし、外圧を掛けて折部を扁平に圧迫した後、該折部を除く他の３辺を整えるために断截することにより製造していた。
【０００３】
一方、頁数の少ない使用書や宣伝書などの小冊子では、１枚の紙葉に頁が揃うように分割してグラビア印刷し、該印刷後の紙葉上の分境している個所に糊線を設けつつ折り重ね、所定個所を裁断することによりホッチキス針のような金具を使用することなく、糊のみにより綴じた中綴じ本を製造することもあった。
【０００４】
即ち、図６（イ）の如く、紙葉６１を左右に２つ折りａするときの合わせ面の中点Ｐを通る縦線（一点鎖線）に沿って糊線６２を線状に設けて一次折丁６３を形成した後、同図（ロ）の如く、一次折丁６３を上下に２つ折りａ′するときの合わせ面の中点Ｐ′を通る縦線に沿って糊線６２′を設けて二次折丁６４を形成し、しかる後、同図（ハ）の如く、二次折丁６４を前記糊線６２、６２′に対応する個所より２つ折りａ″し、その折部ａ″を外圧により扁平に圧迫し、該折部ａ″を除き、他の折部ａ、ａ′を断截Ｃ、Ｃ′して頁ごとに分離することにより同図（ニ）の如く、糊のみによって接着（製本）した最大１６頁物の中綴じ本６５が製造できるものである。なお、折部ａ″を除き、他の３辺を総て断截することもある。
【０００５】
【発明が解決しようとする課題】
上記の中綴じ本のうち、ホッチキス針のような金具で綴じたものは、金具が本の扁平化に邪魔になったし、露出する金具の末端で手指などを突き刺す危険があることも指摘されていた。また、糊のみにより綴じたものは、グラビア印刷による頁ごとの印刷、画定された折部への糊線の形成及び裁断との関係で、製造できるのは最大１６頁の中綴じ本に限られた。しかも、１冊の中綴じ本は、グラビア印刷による限り、表紙を含め紙質は総て同一になって仕舞うことからメリハリのないものとなっていた。
【０００６】
本発明は、上記ホッチキス針のような金具で綴じた中綴じ本、及び糊のみにより綴じた中綴じ本がそれぞれ抱える問題を一挙に解消するためのもので、その目的とするところは、多数頁の中綴じ本をも金具を一切使用しないで糊のみによって簡易に製造できるほか、種々の紙質のものからなるメリハリのある小冊子をも簡易に製造できるようにした中綴じ本の製造方法を提供することにある。
【０００７】
【課題を解決するための手段】
上記の目的を達成するため、本発明に係る中綴じ本の製造方法は、紙葉を左右に２つ折りするときの合わせ面の中点を通る縦線に沿って糊線を設けて一次折丁を形成し、該一次折丁を上下に２つ折りするときの合わせ面の中点を通る縦線に沿って糊線を設けて二次折丁を形成し、これを単位折丁として多数準備した後、該単位折丁を複数丁重ねるととともに、それぞれの重ね面の、前記糊線に対応する個所に糊線を設けて接着し、該接着部より２つ折りし、その折部を除き、少なくとも前記二次折丁までの他の折部を断截して頁毎に分離することを特徴とし、グラビア印刷による場合でも異なる紙質が選べるとともに、１６頁を超える各種の中綴じ本が簡易に得られるように構成した。
【０００８】
また、請求項２に記載の発明に係る中綴じ本の製造方法は、前記単位折丁を複数丁重ねるときに、最外層となる単位折丁に代えて表紙となる紙葉を重ねることを特徴とし、例えば、６４頁物に４頁分の異なる紙質の表紙をつけて、よりメリハリのある中綴じ本が得られるように構成した。
【０００９】
【発明の実施の態様】
次に、本発明の実施の態様を図に基づいて説明する。図１は複数の単位折丁と表紙とを重ねる状態を示す斜視図、図２は複数の単位折丁と表紙とを接着した状態を示す斜視図、図３は接着部より２つ折りした状態を示す斜視図、図４は完成した本願中綴じ本の斜視図、図５は本願中綴じ本の製造装置（工程）を略示的に示す説明図である。
【００１０】
本願製造方法では、まず、予め、単位折丁１を多数準備する。この単位折丁１は、１枚の紙葉の表裏面を１６頁分に分割画定し、各画定した個所にグラビア印刷（一定の順序で折畳んだときに各頁と上下の向きが揃うように）を施し（図示せず）、図６（イ）及び（ロ）の順に４つ折りに折畳み、該折畳み過程で線状に設けた糊線６２、６２′より接着してなる二次折丁６４と同じものである。
【００１１】
次に、前記単位折丁１を複数丁（図１では便宜上、単位折丁１が２丁、表紙２が１枚）を重ねるとともに、それぞれの重ね面の、前記糊線６２（６２′）に対応する個所（破線で示す）に、図２の如く線状に糊線３を設け、該糊線３の個所（図３の一点鎖線の部分）を接着させる。
【００１２】
しかる後、単位折丁１と表紙２との束を、その表紙２を外にして前記糊線３の個所（接着個所）より図３の如く２つ折りし、その折部４を除き、少なくとも前記単位折丁１の他の折部ａ、ａ′を断截（二点鎖線）Ｃ、Ｃ′して図４の如く頁ごとに分離５させて本願中綴じ本６を得る。この裁断Ｃ、Ｃ′に際し、折部４を除く他の３辺＜折部ａ、ａ′を含む＞を同時に断截して整えるようにしても良いことは勿論である。
【００１３】
次に、本願中綴じ本６を効率よく製造する一つの装置（工程）を、図５（ａ）〜（ｅ）に基づいて説明する。本願中綴じ本６の製造装置１０は、堆積させた単位折丁１を定めた順序で搬送路へと送り出す供給部１１と、搬送路を走行する単位折丁１に糊付けする糊付部１２と、糊付け後の単位折丁１を積層部１３と、積層された単位折丁１の束を２つ折りする折曲手段１４と、単位折丁１の束の折部を圧迫する加圧部１５と、頁ごとに分離するための断截部１６とを備える。
【００１４】
前記供給部１１は、図５（ａ）の如く、単位折丁１を堆積させるＡ〜Ｅの５基の昇降機１１ａ（実際は５基に限らない）を同一レベルに配している。この昇降機１１ａは下降点で単位折丁１を投入堆積させ、上昇点では堆積させた単位折丁１を送り出し手段１１ｂに圧着させている。そして、各昇降機１１ａはその各送り出し手段１１ｂに供給信号が入力されると作動し、単位折丁１を搬送路１１ｃに矢印の如く反転させて送り込めるようになっている（Ａ〜Ｅの昇降機１１ａにそれぞれ堆積された単位折丁１は定めた順序で頁が連続していることは勿論である）。前記搬送路１１ｃは、通常では単位折丁の両サイドを、その上下面からエンドレスベルトによって挟持搬送する方式を採用する（図示せず）が、具体的な搬送方式は自由に決定してよい。
【００１５】
前記糊付部１２は、前記搬送路１１ｃ上を走行する単位折丁１に必要に応じて接して線状に糊（接着剤）を塗布する（糊線を設ける）ためのものである。この糊付部１２は、図示しない糊箱から供給された糊をローラ表面に保持させ、前記搬送路１１ｃ上を走行する単位折丁１の走行タイミングに合わせて下動して当該単位折丁の所定の個所に糊線を引ける（塗布する）ようにしている。なお、ここに使用する糊（ボンド）としては、ＥＶＡ（エチレン−酢酸ビニル共重合体）を主成分とする接着剤（石塚産業株式会社Ｖ２２０）を用いているが、より衛生無害にして接着力に優れた糊が開発されたならば、それによることもある。
【００１６】
前記積層部１３は、図５（ｂ）の如く、前記搬送路１１ｃの端末部において単位折丁１を積層させる架台１３ａと、その上方に聳立させた圧着板１３ｂと、を備えている。前記架台１３ａは前記糊付部１２にて糊付け後の単位折丁１の積層毎にその厚み分づつ順次下降するように作動し、前記圧着板１３ｂは下動して架台１３ａ上に積層された単位折丁１の糊付け部を圧迫するように作動する。
【００１７】
前記折曲手段１４は、前記架台１３ａと前記圧着板１３ｂとで構成している。即ち、前記圧着板１３ｂは、架台１３ａ上において、必要な層数の単位折丁１への圧迫を完了した後、該架台１３ａが左右に分離拡開するタイミングで更に下動し、単位折丁１の束をその接着部より、図５（ｂ）の如く、２つ折りするように作動する。なお、図５（ｃ）は、図５（ｂ）を矢印Ｙ方向に見た図である。
【００１８】
前記加圧部１５は、図５（ｄ）の如く、接着部より２つ折りされた単位折丁１の束の折部４を上下加圧板１５ａ、１５ｂにより圧迫して折部４の扁平化と、接着力をより安定させて中綴じ本６としての体裁を高いものとするために機能するものである。
【００１９】
前記断截部１６は、図５（ｅ）の如く、単位折丁１の束の定められた個所を断截Ｃ、Ｃ′して頁ごとに分離５させて本願中綴じ本６として完成させるフニッシャーとしての機能を有する。
【００２０】
なお、上記装置（工程）の各部の構成は図示の例には限らない。また、前記供給部１１の単位折丁１を堆積させるＡ〜Ｅの５基の昇降機１１ａのうちの１基は表紙２となる紙葉を堆積させるためのものとして利用してもよい。仮に、昇降機１１ａの５基の全部に単位折丁１を堆積させて中綴じ本６を得るとすれば、８０頁物（１６頁×５）が糊のみの接着で製本できる。一方、１基に表紙２となる紙葉を堆積させて中綴じ本６を得るとすれば、表紙を含め６８頁物（１６頁×４＋４頁）が糊のみの接着で製本できることとなる。
【００２１】
【発明の効果】
以上、説明した如く、本発明に係る中綴じ本の製造方法は、紙葉を左右に２つ折りするときの合わせ面の中点を通る縦線に沿って糊線を設けて一次折丁を形成し、該一次折丁を上下に２つ折りするときの合わせ面の中点を通る縦線に沿って糊線を設けて二次折丁を形成し、これを単位折丁として多数準備した後、該単位折丁を複数丁重ねるととともに、それぞれの重ね面の、前記糊線に対応する個所に糊線を設けて接着し、該接着部より２つ折りし、その折部を除き、少なくとも前記二次折丁までの他の折部を断截して頁毎に分離することを特徴としているから、単位折丁にグラビア印刷した紙葉を用いる場合でも１６頁を超える多数頁の仕様書や宣伝書などの小冊子（中綴じ本）が簡易に得られる。また、紙質も単位折丁を一単位として任意に選ぶことができ、メリハリのある各種小冊子が得られるなど各種の優れた効果を奏するものである。
【００２２】
また、請求項２に記載の発明に係る中綴じ本の製造方法は、前記単位折丁を複数丁重ねるときに、最外層となる単位折丁に代えて表紙となる紙葉を重ねることを特徴としているから、例えば内容頁と表紙とに最適な紙厚を選ぶことができ、より気品の高い冊子にするなど、メリハリのあり、しかも見栄えの良い完成度の高い小冊子が簡易に作れるという優れた効果を奏するものである。
【図面の簡単な説明】
【図１】複数の単位折丁と表紙とを重ねる直前の状態を示す斜視図である。
【図２】複数の単位折丁と表紙とを糊着（接着）した状態を示す斜視図である。
【図３】接着部より２つ折りした状態を示す斜視図である。
【図４】完成した本願中綴じ本の斜視図である。
【図５】本願中綴じ本の製造装置（工程）を略示的に示す説明図である。
【図６】頁数の少ない中綴じ本の製造手順を示す斜視図である。
【符号の説明】
１  単位折丁
２  表紙
３  糊線
４  折部
５  分離
６  本願中綴じ本
１０  本願中綴じ本製造装置（工程）
１１  供給部
１１ａ  昇降機
１１ｂ  送り出し手段
１１ｃ  搬送路
１２  糊付部
１３  積層部
１３ａ  架台
１３ｂ  圧着板
１４  折曲手段
１５  加圧部
１６  断截部
６１  紙葉
６２  糊線
６３  ２つ折丁
６４  ４つ折丁
６５  １６頁物の中綴じ本
【図１】
2004345190.tif 000003
【図２】
2004345190.tif 000004
【図３】
2004345190.tif 000005
【図４】
2004345190.tif 000006
【図５】
2004345190.tif 000007
【図６】
2004345190.tif 000008